(57)【特許請求の範囲】
【請求項１】
基体と、一端部が該基体の上面に回動可能に連結され、該基体の上面に起到可能に取り付けられた複数の支柱と、該支柱の他端部に回動可能に取り付けられた昇降体と、上記支柱を起立方向に回動させるように付勢する付勢手段と、上記支柱が上記基体上に倒れた状態及び上記基体上に起立した状態でロックするロック手段とを具備し、上記支柱を上記基体上に倒して上記ロック手段によりロックした折り畳み状態から該ロック手段によるロック状態を解除することにより、上記付勢手段により上記支柱が回動して起立すると共に、この状態で上記ロック手段によりロックされて上記昇降体が上記基体から上昇したポップアップ状態に保持され、かつこの状態から上記ロック手段によるロック状態を解除し、上記付勢手段による付勢力に抗して上記支柱を倒すことにより、上記基板上に上記支柱が倒れた折り畳み状態で上記ロック手段によりロックされるポップアップ機構において、
上記ロック手段が、上記昇降体にスライド可能に取り付けられていると共に一スライド方向に付勢された、ロック解除突起及びロック穴を有する板状のロック片と、上記支柱の上部に回動可能に取り付けられ、先端側が上記昇降体側へと回動するように付勢された、先端部にロック爪を有するロック体と、上記基体上面に突設された、先端部にロック爪を有するロック突起とを具備してなり、上記ロック突起のロック爪が上記ロック片のロック穴に係合して上記折り畳み状態でロックされると共に、上記ロック片を付勢力に抗してスライドさせることにより上記ロック穴とロック突起との係合状態が解除され、また上記ロック体のロック爪が上記昇降体の下面に形成されたロック凹部に係合して上記ポップアップ状態でロックされると共に、上記ロック片を付勢力に抗してスライドさせることにより該ロック片の上記ロック解除突起が上記ロック体先端部に当接して該ロック体を付勢力に抗して回動させ、該ロック体の上記ロック爪と上記昇降体の上記ロック凹部との係合状態を解除するように構成したことを特徴とするポップアップ機構。
【請求項２】
ロック片を一スライド方向に付勢する付勢力を、支柱体を起立方向に付勢している付勢手段の付勢力よりも弱く設定した請求項１記載のポップアップ機構。
【請求項３】
支柱の回動運動を制動するダンパー装置を具備した請求項１又は２記載のポップアップ機構。
【請求項４】
ロック体を回動付勢する付勢手段としてトーションスプリングを用い、該トーションスプリングの付勢力による回動範囲を０〜９０゜乃至０〜１５０゜の角度とし、折り畳み状態から支柱を回動起立させてポップアップ状態へと移行させる際、該ロック体先端部のロック爪が昇降体のロック凹部と係合する直前に上記トーションスプリングによる付勢力が作用するように設定した請求項１〜３のいずれか１項記載のポップアップ機構。
【請求項５】
ロック体のロック爪を内方に傾斜させて設けると共に、昇降体下面に形成されたロック凹部の下端縁部に上記ロック爪の傾斜に相応した係止凸部を設けた請求項１〜４のいずれか１項記載のポップアップ機構。
【発明の詳細な説明】
【０００１】
【発明の属する技術分野】
本発明は、自動車のセンターコンソールボックス上に構成されるアームレストやリヤシートに装備されるアームレストなどに組み込んで、これらアームレストなどの高さ調節機構として好適に使用されるポップアップ機構に関し、更に詳述すると、基体上に回動可能に設けた複数の支柱に昇降体を回動可能に取り付けてリンク機構を構成し、上記支柱を回動させて起立させたり倒したりすることにより、上記昇降体を上昇させたり、下降させたりするポップアップ機構に関する。
【０００２】
【従来の技術】
従来より、自動車の車内には、運転席と助手席との間などに図２３に示したようなセンターコンソールボックスａを設けることが行われており、最近ではこのセンターコンソールボックスａの蓋体ｂにボタン操作により昇降する昇降体（図２３では図示していない）を設け、コンソールボックスａを閉塞する開閉可能な蓋体ｂを上記昇降体を上昇させることによりアームレスト（肘掛）としても使用することが行われている。なお、図２３中ｅは蓋体ｂの上面側を被覆するカバーであり、このカバーｅと蓋体ｂとの間に上記昇降体が配設される。
【０００３】
このようなアームレスト兼用コンソールボックスにおいて、上記昇降体を昇降させるポップアップ機構としては、従来図２４〜図２６に示したものがある。即ち、コンソールボックスａの蓋体ｂ上に支柱ｃ，ｄを所定間隔離間して起倒可能に取り付け、この支柱ｃ，ｄの上端部に、カバーｅを取り付けた昇降体ｆを回動可能に連結してリンク機構を構成し、上記両支柱ｃ，ｄと蓋体ｂに固定された支柱ｃ，ｄの基部ｇ，ｇとの間にトーションスプリングｈ，ｈを配設して両支柱ｃ，ｄを起立方向に付勢すると共に、支柱ｃ，ｄが倒れた折り畳み状態（図２４の状態）及び支柱ｃ，ｄが起立したポップアップ状態（図２５の状態）でロックする長板状のロック片ｉを、上記昇降体ｆに前後方向（図中、左右方向）スライド可能でかつコイルスプリングｊにより前方へと付勢された状態に、取り付けたものである。
【０００４】
このポップアップ機構は、図２４に示されているように、両支柱ｃ，ｄが上記トーションスプリングｈ，ｈの付勢力に抗して蓋体ｂ上で倒れた折り畳み状態では、蓋体ｂの上面に突設されたロック突起ｋの鉤状に形成された先端部が上記ロック片ｉに形成されたロック穴ｍに係合し、上記トーションスプリングｈ，ｈの付勢力に抗して折り畳み状態でロックされる。このとき、上記ロック片ｉは上記コイルスプリングｊの付勢力により前方（図中、左側）移動限に位置し、その前端に突設されたロック凸部ｎが前方の支柱ｃの上端部に形成された断面略直角扇状の押し込み凹部ｏ内に挿入された状態となっている。
【０００５】
この状態から、昇降体ｆを上昇させてアームレストとして使用する場合は、上記ロック片ｉの前端部から一体に延出し、上記カバーｅ外に突出したロック解除片ｓを押圧ｐ1する。すると、図２６（Ａ）に示したように、上記ロック片ｉが後方（図中、右側）にスライドし、該ロック片ｉに設けられた上記ロック穴ｍの縁部と上記ロック突起ｋとの係合状態が解除され、ロック状態が解除される。これにより、両支柱ｃ，ｄがトーションスプリングｈ，ｈの付勢力により起立方向へと回動していき、昇降体ｆがリンク機構の作用により上昇すると共に、図２６（Ｂ）に示したように、上記押圧力ｐ1が解除されることにより上記コイルスプリングｊの付勢力により前方（図中、左側）に移動していたロック片ｉのロック凸部ｎが支柱ｃの回動運動によって押し込み凹部ｏの内面で後方に押圧され、再びロック片ｉが後方へとスライドする。そして、支柱ｃが直立状態まで回動した時点で支柱ｃの上端部内面に形成された係止凹部ｒと上記ロック凸部ｎが一致した状態となり、図２５に示されているように、コイルスプリングｊの付勢力によりロック片ｉが再び前方（図中、左側）に移動し、ロック凸部ｎが係止凹部ｒ内に挿入されて両者が係合し、両支柱ｃ，ｄが起立したポップアップ状態でロックされる。
【０００６】
更に、このポップアップ状態から、昇降体ｆを下降させて図２４の折り畳み状態に戻す場合は、再び上記ロック解除片ｓを押圧ｐ2して、図２６（Ｃ）に示したように、上記ロック片ｉを後方（図中、右側）にスライドさせる。これにより、該ロック片ｉに設けられた上記ロック凸部ｎが支柱ｃの係止凹部ｒ内から抜け出て、ロック状態が解除される。この状態で上記昇降体ｆを下方へと押圧してリンク機構の作用により両支柱ｃ，ｄを後方へと回動させて倒しながら昇降体ｆを押し下げていき、図２６（Ｄ）に示したように、上記押圧力ｐ2が解除されることにより前方（図中、左側）に移動していたロック片ｉのロック穴ｍの後縁部下面側に形成されたテーパ部に上記ロック突起ｋの先端部を当接させる。この状態で、更に昇降体ｆを押圧ｐ3して押し下げることにより、上記テーパ部の作用によりロック片ｉが一旦後方へとスライドしてロック突起ｋがロック穴ｍ内に挿入された後、再びロック片ｉがコイルスプリングｊの付勢力により前方へとスライドして、図２４に示されているように、該ロック突起ｋとロック穴ｍとが係合し、折り畳み状態でロックされる。
【０００７】
このように、このポップアップ機構によれば、ロック解除片ｓを押圧することにより、自動的に昇降体ｆを上昇させてセンターコンソールボックスａの蓋体ｂをアームレストとして良好に使用することができ、使用後はロック解除片ｓを押圧してロック状態を解除すると共に、昇降体ｆを押し下げて折り畳んでおくことができるものである。
【０００８】
【発明が解決しようとする課題】
しかしながら、この従来のポップアップ機構には、ポップアップ時に昇降体ｆにがたつきが生じやすいという問題点がある。
【０００９】
即ち、このポップアップ機構は、上記のように、ロック片ｉのロック凸部ｎを支柱ｃの上端部に形成された係止凹部ｒ内に挿入係合させてポップアップ状態で昇降体ｆをロックするものであるが、上記ロック片ｉは昇降体ｆにスライド可能に設けられたものであるので、良好なスライド運動を確保するため昇降体ｆとの間に所定のクリアランスを設けてあり、このためこのロック片ｉ自体にがたつきが生じ昇降体ｆにがたつきが生じる。また、上記ロック凸部ｎと係止凹部ｒの内面との間にも、良好な抜き差し運動を確保するため所定のクリアランスが設定してあり、これががたつきの原因となると共に、このロック凸部ｎと係止凹部ｒとの係合は、支柱ｃと昇降体ｆとの回動軸近傍で行われるためロック凸部ｎと係止凹部ｒとの間のがたつきは小さいものであっても昇降体ｆではこれが増幅されて大きながたつきとなり、更に上記ロック片ｉ自体のがたつきが加わって昇降体ｆのがたつきはアームレストとしての使用感を損なうほどの大きさとなる場合もある。
【００１０】
また、このポップアップ機構は、ポップアップ状態から折り畳み状態へと移行させる際、ロック状態の解除作業を良好に行うことができない場合もある。即ち、ポップアップ状態においては、上記のように、ロック片ｉのロック凸部ｎを支柱ｃの係止凹部ｒ内に挿入係合させて、昇降体ｆと支柱ｃとの間の回動運動を係止することにより、昇降体ｆをロックするものであるが、この場合昇降体ｆにこれを押し下げる力が加わった状態（アームレストでは昇降体ｆの上に腕を載せておくため通常この状態にある）では、支柱ｃが昇降体ｆに対して回動しようとする強い力が加わり、上記ロック凸部ｎが係止凹部ｒ内に強く噛み込まれて、ロック解除片ｓを押圧ｐ2しても容易にロック状態が解除することができなくなる場合がある。しかも、このロック凸部ｎと係止凹部ｒとの係合が支柱ｃと昇降体ｆとの回動軸近傍で行われるため、昇降体ｆを押し下げる力が梃子の作用により非常に大きな力となって互いに係合したロック凸部ｎと係止凹部ｒとの間に作用し、大きな剪断力が生じてロック凸部ｎが破損する虞れもある。
【００１１】
本発明は、上記事情に鑑みなされたもので、基体上に回動可能に設けた複数の支柱に昇降体を回動可能に取り付けてリンク機構を構成し、上記支柱を起立させたり倒したりすることにより、上記昇降体を上昇させたり下降させたりするポップアップ機構において、支柱が起立し昇降体が上昇移動限にあるポップアップ状態でがたつきなく確実にロックすることができ、しかもこの状態から容易かつ確実にロック解除作業を行うことができるポップアップ機構を提供することを目的とする。
【００１２】
【課題を解決するための手段】
本発明は、上記目的を達成するため、基体と、一端部が該基体の上面に回動可能に連結され、該基体の上面に起到可能に取り付けられた複数の支柱と、該支柱の他端部に回動可能に取り付けられた昇降体と、上記支柱を起立方向に回動させるように付勢する付勢手段と、上記支柱が上記基体上に倒れた状態及び上記基体上に起立した状態でロックするロック手段とを具備し、上記支柱を上記基体上に倒して上記ロック手段によりロックした折り畳み状態から該ロック手段によるロック状態を解除することにより、上記付勢手段により上記支柱が回動して起立すると共に、この状態で上記ロック手段によりロックされて上記昇降体が上記基体から上昇したポップアップ状態に保持され、かつこの状態から上記ロック手段によるロック状態を解除し、上記付勢手段による付勢力に抗して上記支柱を倒すことにより、上記基板上に上記支柱が倒れた折り畳み状態で上記ロック手段によりロックされるポップアップ機構において、上記ロック手段が、上記昇降体にスライド可能に取り付けられていると共に一スライド方向に付勢された、ロック解除突起及びロック穴を有する板状のロック片と、上記支柱の上部に回動可能に取り付けられ、先端側が上記昇降体側へと回動するように付勢された、先端部にロック爪を有するロック体と、上記基体上面に突設された、先端部にロック爪を有するロック突起とを具備してなり、上記ロック突起のロック爪が上記ロック片のロック穴に係合して上記折り畳み状態でロックされると共に、上記ロック片を付勢力に抗してスライドさせることにより上記ロック穴とロック突起との係合状態が解除され、また上記ロック体のロック爪が上記昇降体の下面に形成されたロック凹部に係合して上記ポップアップ状態でロックされると共に、上記ロック片を付勢力に抗してスライドさせることにより該ロック片の上記ロック解除突起が上記ロック体先端部に当接して該ロック体を付勢力に抗して回動させ、該ロック体の上記ロック爪と上記昇降体の上記ロック凹部との係合状態を解除するように構成したことを特徴とするポップアップ機構を提供するものである。
【００１３】
本発明のポップアップ機構は、上述した従来の機構と同様に、基体の上面に起倒可能に取り付けられた複数の支柱の上端部に昇降体を回動可能に取り付けてリンク機構を構成し、上記支柱を起立方向に回動するように付勢手段で付勢することにより、支柱が基体上に倒れた折り畳み状態から該付勢力によって支柱を起立方向に回動させて、支柱が起立したポップアップ状態へと自動的に移行するように構成すると共に、昇降体にスライド可能に取り付けた板状のロック片を有するロック手段により上記折り畳み状態及びポップアップ状態でロックするようにしたものである。
【００１４】
この場合、本発明のポップアップ機構にあっては、支柱の上部に回動可能に取り付けられたロック体先端部のロック爪を昇降体の下面に設けたロック凹部に係合させて上記ポップアップ状態のロックを行うように構成されているので、ポップアップ状態でのロックをがたつきなく確実に行うことができ、かつ上記ロック片に設けたロック解除突起によりこのロック体を回動させてポップアップ状態でのロック状態を解除するように構成されているので、昇降体を押し下げる力が加わった状態でも容易かつ確実にロック状態を解除することができるものである。
【００１５】
即ち、一端部が支柱に回動可能に取り付けられた上記ロック体の他端先端部を昇降体の下面に係合させてポップアップ状態でのロックを行うので、回動軸からある程度離れた昇降体と支柱との２点間を連結して昇降体と支柱との間の回動運動を係止することによりロックを行うこととなるため、ロック体と支柱との連結個所及びロック体と昇降体との係合個所にスムーズな回動又は係合を行わせるために多少のクリアランスを設けても、これらの個所におけるがたつきが増幅されて昇降体のがたつきとなることはなく、むしろ減縮されて昇降体にほとんどがたつきが生じることがない。
【００１６】
更に詳述すると、４点リンク機構においては、回動点を挟んで互いに離れた二点間ほどリンク運動する際の相対的移動距離が大きくなり、この二点間がある程度離れたものであれば、その２点間の相対的移動距離は互いに対向した２辺間の相対的移動距離よりも大きくなる。従って、この２点間の距離が多少変化しても互いに対向した２辺間の距離の変化はほとんど変化せず、本発明におけるロック手段は、このような２点間を互いに連結するものであり、この２点間に多少のがたつきが生じたとしても、上記互いに対向した２辺間に当たる昇降体と基体との間にはほとんどがたつきを生じないものである。
【００１７】
また、昇降体にかけられた力が、梃子の作用により増幅される回動軸近傍ほど、このロックされる二点間に集中することはなく、しかも本発明のロック手段を構成する上記ロック体は、上記従来例におけるロック凸部ｎより遥かに高い強度に形成することができ、このロック体が破損するような心配はなく、確実にポップアップ状態でのロックを行うことができる。
【００１８】
更に、本発明におけるロック機構では、ポップアップ状態でのロックを行う上記ロック体を昇降体にスライド可能に設けられた上記ロック片に突設したロック解除突起で押圧することにより、該ロック体をその付勢力に抗して回動させることによって昇降体との係合状態を解除するように構成されているので、ポップアップ状態において、昇降体にこれを押し下げる力が加わっていても、ロック片のスライド運動が妨げられるようなことがなく、容易にロック状態を解除することができる。
【００１９】
即ち、本発明において、ポップアップ状態でのロック解除を行う場合は、ロック片を操作してこれをスライドさせ、このロック片に突設したロック解除突起を上記ロック体の先端側に当接させて該ロック体を下方へと押圧し、これにより該ロック体を付勢力に抗してその先端側が昇降体から離間する方向へと回動させることによって、該ロック体先端部と昇降体との係合状態を解除し、ロック状態を解除するものである。従って、昇降体にこれを押し下げる力がかかっていたとしても、ロック作用は上記ロック体により行われており、ロック解除を行う上記ロック片はロック作用になんらかかわっていないので、昇降体を押し下げる力によって上記ロック片のスライド運動が妨げられることはなく、スムーズにこのロック片をスライドさせてロック解除を容易かつ確実に行うことができるものである。
【００２０】
ここで、上記ロック片をスライドさせてポップアップ状態でのロック状態を解除する場合、該ロック片を一スライド方向に付勢する付勢力に抗してスライドさせるものであるが、このロック片を付勢する付勢力は、上記支柱を起立方向に付勢している付勢手段の付勢力よりも弱く設定することが好ましく、これによりロック解除時の操作を非常にスムーズに行うことができる。
【００２１】
即ち、上記ロック片を付勢力に抗してスライドさせることは、上記昇降体を該ロック片のスライド方向と同一方向に押圧することとなり、同時に上記支柱を倒す方向に回動させようとする力が生じることとなるが、このとき上記ロック片の付勢力が強いと、該ロック片がこの付勢力に抗してスライド運動する前に、上記支柱に上記付勢手段による付勢力を超える力がかかり、該支柱を回動させようとするため、その回動を係止している上記ロック体先端部のロック爪と昇降体のロック凹部との係合部分に力が加わり、ロック解除操作をスムーズに行えない場合がある。しかしながら、ロック片の付勢力を上記付勢手段による支柱の付勢力よりも弱く設定することにより、支柱を回動させる力が生じる前に確実にロック片をその付勢力に抗してスライドさせることができ、ロック解除操作をスムーズかつ確実に行うことができるものである。
【００２２】
また、上記ロック体先端部のロック爪を内方に傾斜させて設けると共に、このロック爪と係合する昇降体のロック凹部の下端縁部に上記ロック爪の傾斜に相応した係止凸部を設け、このロック爪と係止凸部とを係合させることによりポップアップ状態でのロック状態をより強固なものとすることができ、これによりポップアップ状態で昇降体に強い力がかかっても、ロック爪がロック凹部から抜け出ることを上記係止凸部により確実に防止して、ロック状態の信頼性を向上させることができる。
【００２３】
この場合、上記ロック爪の傾斜をロック体先端部の回動軌道と一致させると共に、上記係止凸部をこの傾斜に相応させて設け、かつ上述のようにロック片の付勢力を支柱の付勢力よりも弱く設定しておくことにより、ロック体を回動させてロック状態を解除する際に、上記ロック爪が上記係止凸部に引っ掛かることなく、スムーズにロック解除を行うことができる。
【００２４】
このように、本発明のポップアップ機構によれば、上記従来のポップアップ機構が有する欠点を全て解消し、支柱が起立し昇降体が上昇移動限にあるポップアップ状態でがたつきなく確実にロックすることができ、しかもこの状態から容易かつ確実にロック解除作業を行うことができる。
【００２５】
【発明の実施の形態及び実施例】
以下、実施例を示し、本発明をより具体的に説明する。
図１〜図１０は、本発明の一実施例にかかるポップアップ機構を備えたポップアップユニットを示すものであり、このポップアップユニットは、図２３に示したセンターコンソールボックスａの蓋体ｂとそのカバーｅとの間に組み込まれるもので、上記蓋体ｂに固定される基体１と、この基体１上に起到可能に取り付けられた支柱２ａ，２ｂと、この支柱２ａ，２ｂの上端部に回動可能に連結された略板状の昇降体３とを具備している。
【００２６】
上記基体１は、図１１及び図１２に示したように、長板状の基部１１，１１を互いに平行した状態で所定間隔離間させ、厚肉略板状の連結部１２で一体に連結したものである。
【００２７】
この基体１を構成する上記基部１１，１１のそれぞれの両端部上面には、先端部が半円状に形成された略山形状の脚連結部１３，１３が突設されていると共に、該脚連結部１３，１３の外側にねじ込み孔を有するビス止め凸部１４，１４が突設され、かつ該脚連結部１３，１３の内側には上端中央部に円弧状の切欠きを有する軸受け板１５，１５が互いに所定間隔離間して突設されている。また、上記脚連結部１３，１３の前面側（図中、左側）高さ方向中間部には、起立時係止段差部１６，１６が設けられており、この起立時係止段差部１６，１６は基部１１，１１の前端縁に沿って内方へと延出している。更に、上記脚連結部１３，１３の内側に隣接して倒伏時係止段差部１７，１７が上記起立時係止段差部１６，１６と対向した状態に突設されている。
【００２８】
また、上記連結部１２には、その前端部、中間部及び後端部にそれぞれ四角穴１２１，１２２，１２３，１２３が形成されていると共に、上面後端部中央部に上方へと若干膨出した台座部１２４が形成されており、この台座部１２４の前端部中央に、先端部に鉤状のロック爪１９ａが形成されたロック突起１９が突設されている。なお、図１１，１２中参照符号１８は上記基部１１，１１の上面側に一体に突設された補強リブであり、また特に図示していないが、上記連結部１２の上下両面には成形時の寸法安定性及び材料節約のための肉抜き凹部が多数形成されている。
【００２９】
この基体１の上面に取り付けられた支柱２ａ，２ｂは、図１６，１７に示したように、上下端部が軸挿通孔を有した半円状に形成され、下端部の前面側（（Ｃ）図及び（Ｄ）図中、左側）に起立時当接段部２１，２１が形成された一対の柱状脚部２２，２２を互いに所定間隔離間した平行状態に連結板２３ａ，２３ｂで一体に連結したものであり、上記連結板２３ａ及び２３ｂの上端には、上端部が半円状に形成され、かつ軸挿通孔を有する２つの軸挿通突起２４，２４が互いに所定間隔離間して一体に突設されている。
【００３０】
これら支柱２ａ，２ｂの内、前方（図１〜９中左側）の支柱２ａには、図１６に示されているように、一方の柱状脚部２２の外側面に後述するダンパー７を連結する連結軸２５が突設されており、また上記連結板２３ａの上端中央部に上記軸挿通突起２４，２４の間に存して上端部が半円状に形成されたロック片係止突起２６が突設されている。更に、上記連結板２３ａには、その前面側（図１６の（Ｃ），（Ｄ）において左側）に肉抜き処理２７を施しているが、後面側（図１６の（Ｃ），（Ｄ）において右側）には肉抜き処理を施さず、平面となっている。そして、この後面の上端部に、軸挿通孔を有しかつ先端部が半円状に形成された２つのロック体取付突起２８，２８が一体に突設されている。
【００３１】
一方、後方（図１〜９中右側）の支柱２ｂは、図１７に示されているように、上記連結軸２５，ロック片係止突起２６及びロック体取付突起２８，２８を有さず、また連結板２３ｂには前後両面に肉抜き処理２７が施されている。
【００３２】
この支柱２ａ，２ｂは、それぞれその下端部を上記基体１の基部１１，１１に回動可能に連結することにより、基体１上に起倒可能に取り付けられている。即ち、図１〜７に示されているように、各支柱２ａ，２ｂの柱状脚部２２，２２下端部をそれぞれ基体１の基部１１，１１に形成された脚連結部１３，１３にそれぞれ回動可能に軸着することにより、基体１上の前後端部にそれぞれ回動可能に取り付けられている。この場合、上記脚連結部１３，１３と柱状脚部２２，２２とを連結している軸体４、４は基部１１，１１の両端部に設けられた一対の脚連結部１３，１３間に刺し通されており、この軸体４，４にそれぞれ取り付けられたトーションスプリング４１，４１により各支柱２ａ，２ｂが基体１上で起立する方向へと付勢されている。
【００３３】
ここで、上記支柱２ａ，２ｂの内、前方の支柱２ａは、上記ロック体取付突起２８，２８に軸着されたロック体５を有している。このロック体５は、図１８に示したように、四角板状基板５１の後端部（（Ａ），（Ｂ）図において下方端部）に３つの切欠き部５２ａ，５２ａ，５２ｂを形成すると共に、軸挿通孔５３を穿接し、かつ前端部（（Ａ），（Ｂ）図において上方端部）の上面に両端部及び中央部に存して３つのロック爪５４，５４，５４が突設されている。なお、（Ｄ）図中の参照符号５５は後述するトーションスプリング４３の端部が引掛けられる引掛け突起である。
【００３４】
そして、図３に示されているように、上記切欠き部５２ａ，５２ａ内に上記支柱２ａのロック体取付突起２８，２８が挿入されて、このロック体５が支柱２ａに回動可能に軸着されていると共に、その回動軸４２にロック体５の切欠き部５２ｂ内に存して取り付けられたトーションスプリング４３によりこのロック体５が上方（昇降体３側）へと回動するように付勢されている。この場合、このトーションスプリング４３による付勢力は、図９（Ａ）に示されているように、ロック体５の回動域である１８０゜の全域で作用するのではなく、０゜〜９０゜乃至０゜〜１５０゜の範囲で付勢するように設定されている。
【００３５】
上記両支柱２ａ，２ｂの上端部には、略板状の昇降体３が回動可能に取り付けられている。
【００３６】
この昇降体３は、図１３，１４に示したように、中間部でクランク状に屈曲した板状基体３１の両側部前後端部にそれぞれビス孔を有する取付片３２，３２，３２，３２を外方へと一体に延出形成すると共に、前後端両側部に、軸挿通孔を有し、先端部が半円状に形成された連結突起３３ａ，３３ａ，３３ｂ，３３ｂを一体に突設したものである。
【００３７】
上記板状基体３１の前部には表裏貫通した３つの係止穴（ロック凹部）３４ａ，３４ｂ，３４ａが幅方向に沿って並設されており、真ん中の係止穴３４ｂは他の係止穴３４ａ，３４ａよりも小さく形成されている。また、この板状基体３１の前部には幅方向中間部に前後方向に沿って袋状のロック片収容空間部３５が設けられており、上記係止穴３４ｂはこのロック片収容空間部３５と交差している。更に、このロック片収容空間部３５の前端部は板状基体３１の上面側にロック片挿通切欠き部３６が形成されていると共に、板状基体３１の下面側にその前端部から上記係止穴３４ｂに至る突起スライド溝３７が形成されており、またロック片収容空間部３５の後端部には板状基体３１を表裏貫通するスプリング収容穴３８が形成されていると共に、このスプリング収容穴３８の後端壁には突起挿通孔３９が形成されている。なお、図１３（Ｂ）中参照符号３１ａは補強リブである。
【００３８】
この昇降体３は、その連結突起３３ａ，３３ａ，３３ｂ，３３ｂを上記支柱２ａ，２ｂの柱状脚部２２上端部と軸挿通突起２４との間に挿入してシャフト４ａを用いて軸着することにより、両支柱２ａ，２ｂの上端部に回動可能に取り付けられている。
【００３９】
ここで、この昇降体３には、上記ロック片収容空間部３５内にロック片６がスライド可能に配設されている。
【００４０】
上記ロック片６は、図１５に示したように、中間部でクランク状に折曲した長板状のもので、上記クランク状の折曲部６１から前方（図中、左側）がロック解除片６２、後方（図中、右側）がロック片本体６３となっている。上記ロック片本体６３は上記ロック解除片６２よりもやや幅広に形成されており、その中央部にロック穴６４が形成されていると共に、後端幅方向中央から後方へ向けてスプリング取付突起６５が一体に突設されている。また、上記ロック片本体６３の下面幅方向中央部には、上記ロック穴６４の前端縁部に接してロック解除突起６６が突設されている。更に、このロック解除突起６６はその後端側がテーパ面となっていると共に、上記ロック穴６４の後端側内周縁６４ａもテーパ面となっている。なお、図中参照符号６７は補強リブである。
【００４１】
このロック片６は、図１〜７に示されているように、上記ロック片本体６３が上記昇降体３のロック片収容空間部３５内にスライド可能に収容されることにより、昇降体３に取り付けられている。このとき、ロック片６の上記ロック解除突起６６は昇降体３の上記突起スライド溝３７内に挿入され、また上記スプリング取付突起６５は、昇降体３のスプリング収容穴３８を通ってその先端部が上記突起挿通孔３９内に挿入されている。そしてこの状態において、上記スプリング取付突起６５に巻き付けて上記スプリング収容穴３８内に収容されたコイルスプリング４４によりロック片６が前方へと付勢されていると共に、上記折曲部６１が支柱２ａのロック片係止突起２６に当接して上記ロック本体６３が昇降体３のロック片収容空間部３５から抜け出ることがないようになっており（図７，８参照）、更にこのロック片６のロック解除片６２は昇降体３の前端から前方へと突出している。
【００４２】
ここで、上記コイルスプリング４４によるロック片６の付勢力は、上記トーションスプリング４１，４１による支柱２ａ，２ｂの付勢力よりも弱く設定されている。
【００４３】
上記構成により、本実施例のポップアップユニットは、上記基体１、両支柱２ａ，２ｂ及び昇降体３により４点リンク機構が構成されており、両支柱２ａ，２ｂが回動することにより、昇降体３が昇降運動するようになっている。この場合本実施例のポップアップユニットにおいては、図１〜６に示されているように、後方の支柱２ｂと基体１とを連結している軸体４と、前方の支柱２ａに設けられた連結軸２５との間にピストン式のエアダンパー７が配設されており、このダンパー７により上記両支柱２ａ，２ｂの回動による昇降体３の昇降運動が制動されて、この昇降運動をゆっくりと行うように構成されている。
【００４４】
この本実施例のポップアップユニットは、上述したように、図２３に示したセンターコンソールボックスａの蓋体ｂとそのカバーｅとの間に組み込まれるものであり、図５，６に示されているように、基体１を蓋体ｂの上に載せ、蓋体１を通してビス止め凸部１４内にネジをねじ込むことにより蓋体ｂに基体１を固定すると共に、上記昇降体３の上にカバーｅを載せ取付片３２のビス孔を通してネジをカバーｅにねじ込むことにより昇降体３にカバーｅを取り付けることによって、蓋体ｂとカバーｅとの間に組み込まれるものである。このとき、上記ロック片６のロック解除片６２先端部は、カバーｅの前端部に設けられた貫通孔からカバーｅの外側に突出するようになっている。
【００４５】
そして、常時は図５に示したように、両支柱２ａ，２ｂがトーションスプリング４１，４１の付勢力に抗して基体１上に倒れた折り畳み状態で、上記ロック突起１９のロック爪１９ａが上記ロック片６のロック穴６４に係合してロックされている（図１，３，５，７参照）。
【００４６】
この状態から、昇降体３を上昇させてアームレストとして使用する場合は、上記ロック解除片６２を押圧ｐ1する。すると、図９（Ａ）に示したように、上記ロック片６が後方（図中、右側）にスライドし、該ロック片６に設けられた上記ロック穴６４と上記ロック突起１９のロック爪１９ａとの係合状態が解除され、ロック状態が解除される。これにより、両支柱２ａ，２ｂがトーションスプリング４１，４１の付勢力により起立方向へと回動していき、昇降体３がリンク機構の作用により上昇し、図９（Ｂ）に示したように、両支柱２ａ，２ｂが所定角度まで回動した時点で前方（図中、左側）の支柱２ａに取り付けられた上記ロック体５の先端部が昇降体３の前端部下面に当接する。この状態から更に両支柱２ａ，２ｂがトーションスプリング４１，４１の付勢力により起立方向に回動していき、更に昇降体３が上昇していくのに伴って上記ロック体５がトーションスプリング４３の付勢力に抗して下方へと回動しながらその先端部のロック爪５４，５４，５４が昇降体３の下面を後方へと摺動し、両支柱２ａ，２ｂが直立状態まで回動すると両支柱２ａ，２ｂの起立時当接段部２１，２１が基体１の起立時係止段差部１６，１６に当接してその回動運動が停止すると共に、このとき上記ロック体５の各ロック爪５４，５４，５４がそれぞれ昇降体３のロック穴（ロック凹部）３４ａ，３４ｂ，３４ａの下面側に達し、トーションスプリング４３の付勢力により該ロック体５が上方へと回動して上記ロック爪５４，５４，５４がそれぞれ上記ロック穴（ロック凹部）３４ａ，３４ｂ，３４ａに係合する（図８参照）。これにより、図２，４，６，８に示されているように、両支柱２ａ，２ｂが直立し、昇降体３が基体１から上昇したポップアップ状態でロックされる。
【００４７】
なお、上記トーションスプリング４１，４１の付勢力による両支柱２ａ，２ｂの回動運動は、上記ダンパー７により減速され、ゆっくりと両支柱２ａ，２ｂが回動し、ゆっくりと昇降体３が上昇する。
【００４８】
このように、本実施例のポップアップユニットにあっては、支柱２ａの上部に回動可能に取り付けられたロック体５先端部のロック爪５４，５４，５４を昇降体３のロック穴３４ａ，３４ｂ，３４ａに係合させて上記ポップアップ状態のロックを行うように構成されているので、ポップアップ状態でのロックをがたつきなく確実に行うことができるものである。
【００４９】
即ち、一端が支柱２ａに回動可能に取り付けられた上記ロック体５の先端部を昇降体３の下面に係合させてポップアップ状態でのロックを行うので、回動軸からある程度離れた昇降体３と支柱２ａとの２点間を連結して昇降体３と支柱２ａとの間の回動運動を係止することによりロックを行うこととなるため、ロック体５と支柱２ａとの連結個所及びロック体５と昇降体３との係合個所にスムーズな回動又は係合を行わせるために多少のクリアランスを設けても、これらの個所におけるがたつきが増幅されて昇降体３のがたつきとなることはなく、むしろ減縮されて昇降体３にほとんどがたつきが生じることがない。この点について詳述すると、４点リンク機構においては、回動点を挟んで互いに離れた二点間ほどリンク運動する際の相対的移動距離が大きくなり、この二点間がある程度離れたものであれば、その２点間の相対的移動距離は互いに対向した２辺間の相対的移動距離よりも大きくなる。従って、この２点間の距離が多少変化しても互いに対向した２辺間の距離はほとんど変化せず、本実施例におけるロック手段は、支柱２ａと昇降体３との間におけるこのような２点間を上記ロック体５で互いに連結するものであり、この２点間に多少のがたつきが生じたとしても、上記リンク機構の互いに対向した２辺間に当たる昇降体３と基体１との間にはほとんどがたつきを生じないものである。
【００５０】
また、昇降体３を下方へと押し下げる力が加わっても、この力が梃子の作用により増幅される回動軸近傍ほど、その力が上記ロック体５で連結した支柱２ａと昇降体３との二点間に集中することはなく、しかも本例のロック手段を構成する上記ロック体５は、上記従来例におけるロック凸部ｎより遥かに高い強度に形成することができ、このロック体５が破損するような心配はなく、確実にポップアップ状態でのロックを行うことができるものである。
【００５１】
更に、本実施例のポップアップ機構においては、上記トーションスプリング４３によるロック体５の付勢作用が、上述したように、ロック体５の回動域である１８０゜の全域で作用するのではなく、０゜〜９０゜乃至０゜〜１５０゜の範囲で付勢するように設定されているので、該ロック体５の各ロック爪５４，５４，５４が昇降体３のロック穴（ロック凹部）３４ａ，３４ｂ，３４ａに係合する直前に昇降体３下面に当接することとなり、これにより各ロック爪５４，５４，５４が昇降体３下面に強く押し付けられてその摩擦抵抗により昇降体３の上昇運動が妨げられるようなことがなく、良好に上昇運動が行われるものである。即ち、トーションスプリング４３による付勢力は、ロック体５を該付勢力に抗して下方へと回動させることにより次第に大きくなるが、本実施例ではロック体５の先端部が上昇運動の終了直前に昇降体３下面に当接するようになっているので、トーションスプリング４３による付勢力が比較的小さい範囲において該付勢力に抗してロック体５が下方へと回動することとなり、昇降体３に上昇運動を妨げるような大きな抵抗を生じることがないものである。
【００５２】
更に、この図２，４，６，８に示されたポップアップ状態から、昇降体３を下降させて図１，３，５，７の折り畳み状態に戻す場合は、図２，４，６，８に示したように、再び上記ロック解除片６２を押圧ｐ2して、図１０（Ａ）に示したように、上記ロック片６を後方（図中、右側）にスライドさせる。これにより、該ロック片６に設けられた上記ロック解除突起６６が昇降体３の突起スライド溝３７内を後方へと移動してロック穴３４ｂ内に侵入し、このロック穴３４ｂに係合している上記ロック体５のロック爪５４にこのロック解除突起６６が当接して該ロック解除突起６６前端のテーパ面の作用により上記ロック体５の先端部が下方へと押し下げられて回動し、ロック体５のロック爪５４，５４，５４と昇降体３のロック穴３４ａ，３４ｂ，３４ａとの係合状態が解消され、該ロック体５によるロック状態が解除される。この状態で、上記昇降体３を下方へと押圧してリンク機構の作用により両支柱２ａ，２ｂを後方へと回動させて倒しながら昇降体３を押し下げていき、図１０（Ｂ）に示したように、上記押圧力ｐ2が解除されることにより前方（図中、左側）に移動していたロック片６のロック穴６４の後端側内周縁に形成されたテーパ部６４ａに上記基体１のロック突起１９の先端部を当接させる。この状態で、更に昇降体３を押圧ｐ3して押し下げることにより、上記テーパ部６４ａの作用によりロック片６が一旦後方へとスライドしてロック突起１９がロック穴６４内に挿入された後、再びロック片６がコイルスプリング４４の付勢力により前方へとスライドして、図７に示されているように、該ロック突起１９のロック爪１９ａとロック穴６４とが係合し、図１，３，５，７に示された折り畳み状態でロックされる。
【００５３】
このように、本実施例のポップアップユニットでは、ポップアップ状態でのロックを行う上記ロック体５を昇降体３にスライド可能に設けられた上記ロック片６に突設したロック解除突起６６で押圧することにより、該ロック体５をトーションスプリング４３の付勢力に抗して回動させることによって、該ロック体５と昇降体３との係合状態を解除するように構成されているので、ポップアップ状態において、昇降体３にこれを押し下げる力が加わっていても、ロック片６のスライド運動が妨げられるようなことがなく、容易かつ確実にロック状態を解除することができる。
【００５４】
即ち、本実施例のポップアップユニットにおいては、上述のように、ロック片６をスライドさせ、このロック片６に突設したロック解除突起６６を上記ロック体５の先端側に当接させて該ロック体５を下方へと押圧し、これにより該ロック体５を付勢力に抗して回動させることによって、該ロック体５先端部のロック爪５４，５４，５４と昇降体３のロック穴（ロック凹部）３４ａ，３４ｂ，３４ａとの係合状態を解消し、ロック状態を解除するものである。従って、昇降体３にこれを押し下げる力がかかっていたとしても、ロック作用は上記ロック体５により行われており、ロック解除を行う上記ロック片６はロック作用になんらかかわっていないので、昇降体３を押し下げる力によって上記ロック片６のスライド運動が妨げられることはなく、スムーズにこのロック片６をスライドさせてロック解除を容易かつ確実に行うことができるものである。
【００５５】
ここで、本実施例のポップアップユニットにおいては、上述のように、上記ロック片６を前方スライド方向に付勢する上記コイルスプリング４４による付勢力が上記支柱２ａ，２ｂを起立方向に付勢しているトーションスプリング４１，４１の付勢力よりも弱く設定されているので、上記ポップアップ状態からのロック解除操作を非常にスムーズに行うことができる。
【００５６】
即ち、ポップアップ状態から上記ロック片を押圧ｐ2して、該ロック片６をコイルスプリング４４の付勢力に抗して後方へとスライドさせることは、上記昇降体３を後方へと押圧することとなり、これは同時に上記支柱２ａ，２ｂを倒す方向に回動させる力を生じさせることとなるが、このとき上記コイルスプリング４４による上記ロック片６の付勢力が強いと、該ロック片６がこの付勢力に抗して後方へとスライド運動する前に、上記支柱２ａ，２ｂに上記トーションスプリング４１，４１による付勢力を超える力がかかり、該支柱２ａ，２ｂを回動させようとするため、その回動を係止している上記ロック体５のロック爪５４，５４，５４と昇降体３のロック穴３４ａ，３４ｂ，３４ａとの係合部分に力が加わり、ロック解除をスムーズに行えない場合がある。しかしながら、本実施例では、上記コイルスプリング４４によるロック片６の付勢力を上記トーションスプリング４１，４１による支柱２ａ，２ｂの付勢力よりも弱く設定してあるので、支柱２ａ，２ｂを回動させる力が生じる前に確実にロック片６をコイルスプリングの付勢力に抗して後方へとスライドさせることができ、ロック解除操作をスムーズかつ確実に行うことができるものである。
【００５７】
このように、本実施例のポップアップユニットで用いた本発明のポップアップ機構によれば、支柱２ａ，２ｂが起立し昇降体３が上昇移動限にあるポップアップ状態でがたつきなく確実にロックすることができ、しかもこの状態から容易かつ確実にロック解除作業を行うことができる。
【００５８】
なお、本発明のポップアップ機構は、上記実施例に限定されるものではなく、適宜変更することができる。例えば、図１９に示したように、上記ロック体５のロック爪５４を内方に傾斜させて設けると共に、このロック爪５４と係合する昇降体３のロック穴３４ａ，３４ｂ，３４ａ（図ではロック穴３４ａのみを示す）の下端縁部に上記ロック爪５４の傾斜に相応した係止凸部３４ｃを設け、このロック爪５４と係止凸部３４ｃとを係合させることによりポップアップ状態でのロック状態をより強固なものとすることができ、これによりポップアップ状態の昇降体３に強い力がかかっても、ロック爪５４，５４，５４がロック穴３４ａ，３４ｂ，３４ａから抜け出ることを上記係止凸部３４ｃにより確実に防止して、ロック状態の信頼性を向上させることができる。
【００５９】
この場合、上記図１９におけるロック爪５４は、その傾斜をロック体５先端部の回動軌道と一致させると共に、上記係止凸部３４ｃをこの傾斜に相応させて設け、かつ上述したように、コイルバネ４４によるロック片６の付勢力をトーションスプリング４１，４１による支柱２ａ，２ｂの付勢力よりも弱く設定することにより、図１９中に一点鎖線で示したように、ロック体５を回動させてロック状態を解除する際に、上記ロック爪５４が上記係止凸部３４ｃに引っ掛かることなく、スムーズにロック解除を行うことができる。
【００６０】
また、図１８（Ａ）におけるロック体５の真中のロック爪５４に、図２０に示したように昇降体３の下面に設けられた突起スライド溝３７内に挿入し得るテーパー状の壁体（以下、テーパー壁という）５４ａを設け、これによりロック片６のロック解除突起６６のテーパー面とこのテーパー壁５４ａとのテーパー作用によって、よりスムーズにロック解除を行うようにすることもできる。
【００６１】
更に、上記実施例では、昇降体３の上昇スピードを制御する手段としてピストン式のエアーダンパー７を用いたが、エアーダンパーには初期動作時にダンパー効果が発揮されない空走区間があり、またこのエアーダンパーが連結されている四点リンクの対角線は、四点リンクが折り畳まれた状態から立上がるまでの間一定の割合でその長さが長くなるのではなく、初期動作時には長さの伸び率は少なく末期動作時には伸び率が大きくなる。このため、エアダンパー７のダンパー効果は初期動作時に弱く、末期動作時には強くなり、ポップアップ動作が２段階になってしまう場合がある。
【００６２】
そこで、このような場合には、上記昇降体３と支柱２ａ，２ｂとを連結しているシャフト４ａを昇降体３の連結突起３３ａ，３３ｂに圧入するなどの方法で固定すると共に、支柱２ａ，２ｂの柱状脚部２２上端及び軸挿入突起２４に回動可能に挿通することにより、昇降体３と支柱２ａ，２ｂとを回動可能に連結し、この状態でシャフト４ａの両端部又は一端部を、図２２に示したように、プッシュナット８を用いて留めることにより、このプッシュナット８と支柱２ａ，２ｂとの間に生じる摩擦抵抗によって一定のダンパー効果が得られ、上記エアーダンパー７によるダンパー効果を補うようにすることができる。
【００６３】
即ち、上記プッシュナット８とは、図２１に示したように、中央部がドーム状に膨出し、該膨出部８１に放射状の切り込み８２が複数形成されたリング状のもので、強い反発弾性を有する鋼で形成されたものである。そして、このプッシュナット８を、図２２（Ａ）に示したように、支柱２ａ，２ｂの側面から突出したシャフト４ａの先端部に被せて、その膨出部８１を強く押圧ｐ4することにより、図２２（Ｂ）に示したように、膨出部８１を撓ませた状態でシャフト４ａの先端に係合させるものである。これにより、シャフト４ａをこのプッシュナット８が強く引っ張った状態となり、その反作用によりプッシュナット８の周縁部内面が支柱２ａ，２ｂに強く圧接した状態となる。この場合、シャフト４ａは、上述のように、昇降体３に固定されているため、昇降体３が昇降運動する際、支柱２ａ，２ｂに対して回動し、この回動と一体的にプッシュナット８が回動し、このときプッシュナット８の上記周縁部内面が支柱２ａ，２ｂの側面を圧接状態で摺動することとなり、この際の摩擦抵抗によりダンパー効果を生じせしめるものである。そして、この摩擦抵抗によるダンパー効果は常に一定であるので、良好に上記エアーダンパー７のダンパー効果を補って、良好かつスムーズなポップアップ運動が確実に得られるものである。また、このプッシュナット８は、上記のように、シャフト４ａを強い反発弾性により引っ張った状態となるので、このシャフト４ａにがたつきが生じるのを防止することもでき、昇降体３に左右前後方向にがたつきが生じるのを効率的に防止することもできる。
【００６４】
なお、上記実施例では、昇降体３の前端部と支柱２ａ及び昇降体３の後端部と支柱２ｂとをそれぞれ２本のシャフト４ａ，４ａで連結したが、それぞれ１本のシャフトで連結してもよい。また、図１９〜２２において、上述した以外の構成については、上記実施例のポップアップ機構と同一であるので、同一部分に同一の参照符号を付して、その説明を省略する。
【００６５】
更に、ピストン式のエアダンパー７に代えてギアを用いた減速装置等のピストン式エアダンパー以外のダンパー機構により制動を行ってもよく、またダンパー等の制動機構を省略することもできる。また、基体１、支柱２ａ，２ｂ、昇降体３、ロック片６などの形状等は適宜変更することができ、その他の構成についても本発明の要旨を逸脱しない限り種々変更して差し支えない。
【００６６】
更にまた、本発明のポップアップ機構は、自動車のセンターコンソールボックス上に構成されるアームレストの昇降装置として好適に使用されるものであるが、本発明ポップアップ機構の用途は、これに限定されるものではなく、各種椅子類の肘掛けや使用態様によって基体とその基体に取り付けられた部品との相対的位置関係を変更する必要があるものに、その相対的位置関係を変更するための機構として好適に使用することができる。
【００６７】
【発明の効果】
以上説明したように、本発明のポップアップ機構によれば、従来の機構が有していたロック手段に起因するがたつきの発生や動作不良等の問題点を解消し、支柱が基体上で起立し昇降体が上昇移動限にあるポップアップ状態でがたつきなく確実にロックすることができ、しかもこの状態から容易かつ確実にロック解除作業を行うことができる。
【図面の簡単な説明】
【図１】本発明の一実施例にかかるポップアップ機構を用いたポップアップユニットの折り畳み状態を示す平面図である。
【図２】同ポップアップユニットのポップアップ状態を示す平面図である。
【図３】同ポップアップユニットの折り畳み状態を示す底面図である。
【図４】同ポップアップユニットのポップアップ状態を示す底面図である。
【図５】同ポップアップユニットの折り畳み状態を示す側面図である。
【図６】同ポップアップユニットのポップアップ状態を示す側面図である。
【図７】同ポップアップユニットの折り畳み状態を示す図１のＡ−Ａ線に沿った断面図である。
【図８】同ポップアップユニットのポップアップ状態を示す図２のＡ−Ａ線に沿った断面図である。
【図９】同ポップアップユニットの折り畳み状態からポップアップ状態へと移行する際の中間動作を順次説明する部分拡大断面図である。
【図１０】同ポップアップユニットのポップアップ状態から折り畳み状態へと移行する際の中間動作を順次説明する部分拡大断面図である。
【図１１】同ポップアップユニットを構成する基体を示すもので、（Ａ）は平面図、（Ｂ）は側面図である。
【図１２】同基体を示すもので、（Ａ）は底面図、（Ｂ）は断面図である。
【図１３】同ポップアップユニットを構成する昇降体を示すもので、（Ａ）は平面図、（Ｂ）は底面図である。
【図１４】同昇降体を示すもので、（Ａ）は側面図、（Ｂ）は断面図である。
【図１５】同ポップアップユニットを構成するロック片を示すもので、（Ａ）は平面図、（Ｂ）は底面図、（Ｃ）は側面図、（Ｄ）は断面図である。
【図１６】同ポップアップユニットを構成する一方の支柱を示すもので、（Ａ）は正面図、（Ｂ）は背面図、（Ｃ）は側面図、（Ｄ）は（Ａ）のＤ−Ｄ線に沿った断面図である。
【図１７】同ポップアップユニットを構成する他方の支柱を示すもので、（Ａ）は正面図、（Ｂ）は背面図、（Ｃ）は側面図、（Ｄ）は（Ａ）のＤ−Ｄ線に沿った断面図である。
【図１８】同ポップアップユニットを構成するロック体を示すもので、（Ａ）は平面図、（Ｂ）は底面図、（Ｃ）は側面図、（Ｄ）は断面図である。
【図１９】同ポップアップ機構を構成するロック体のロック爪の他の態様を説明する拡大断面図である。
【図２０】同ポップアップ機構を構成するロック体の他の態様を説明する拡大断面図であり、（Ａ）はロック状態、（Ｂ）はロック解除時の状態である。
【図２１】同ポップアップ機構に用いられるプッシュナットの一例を示す平面図である。
【図２２】同プッシュナットを用いたシャフトの留め構造の一例を示す概略断面図であり、（Ａ）は係止前の状態、（Ｂ）は係止後の状態である。
【図２３】同ポップアップユニットを組み込んだセンターコンソールボックスの一例を示す斜視図である。
【図２４】従来のポップアップ機構の折り畳み状態を示す一部を切り欠いて断面とした側面図である。
【図２５】同従来のポップアップ機構のポップアップ状態を示す一部を切り欠いて断面とした側面図である。
【図２６】同従来のポップアップ機構のロック動作を説明する拡大断面図である。
【符号の説明】
１  基体
２ａ，２ｂ  支柱
３  昇降体
５  ロック体
６  ロック片
７  ダンパー
８  プッシュナット
１９  ロック突起
１９ａ  ロック突起のロック爪
３４ａ，３４ｂ  昇降体のロック穴（ロック凹部）
３４ｃ  係止凸部
４１  トーションスプリング（付勢手段）
４３  トーションスプリング
５４  ロック体のロック爪
５４ａ  テーパー壁
６４  ロック片のロック穴
【図１】
0003789970.tif 000002
【図２】
0003789970.tif 000003
【図３】
0003789970.tif 000004
【図４】
0003789970.tif 000005
【図５】
0003789970.tif 000006
【図６】
0003789970.tif 000007
【図７】
0003789970.tif 000008
【図８】
0003789970.tif 000009
【図９】
0003789970.tif 000010
【図１０】
0003789970.tif 000011
【図１１】
0003789970.tif 000012
【図１２】
0003789970.tif 000013
【図１３】
0003789970.tif 000014
【図１４】
0003789970.tif 000015
【図１５】
0003789970.tif 000016
【図１６】
0003789970.tif 000017
【図１７】
0003789970.tif 000018
【図１８】
0003789970.tif 000019
【図１９】
0003789970.tif 000020
【図２０】
0003789970.tif 000021
【図２１】
0003789970.tif 000022
【図２２】
0003789970.tif 000023
【図２３】
0003789970.tif 000024
【図２４】
0003789970.tif 000025
【図２５】
0003789970.tif 000026
【図２６】
0003789970.tif 000027